(57)【要約】【課題】ショートカットボタンの押下により設定項目の設定値の変更を行う場合であっても、当該ショートカットボタンの押下により変更された設定項目が設定項目リストのどの位置に位置しているかをユーザーに知らせる。【解決手段】情報処理装置は、表示部と、表示制御部と、操作受付部と、設定値受付部とを備える。表示制御部は、ショートカットボタンに対する選択操作が行われた場合、（i）ショートカットボタンに対応付けられた設定項目および設定値を示すポップアップ画像を表示させ、（ii）設定項目リストをショートカットボタンに対応付けられた設定項目が表示されるまでスクロール表示させ、（iii）ポップアップ画像をショートカットボタンに対応付けられた設定項目が示された位置に移動させる。【選択図】図７
2018186403.tif 000002
【特許請求の範囲】
【請求項１】
本情報処理装置において設定可能な複数の設定項目に対する設定値の変更を受け付けるための設定画面を表示する表示部と、
前記表示部による表示動作を制御する表示制御部と、
ユーザー操作を受け付ける操作受付部と、
前記操作受付部により受け付けられたユーザー操作に応じて、前記複数の設定項目に対する設定値の変更を受け付ける設定値受付部と、を備え、
前記設定画面は、前記操作受付部が受け付けたスクロール操作に応じて、予め定められたスクロール画像がスクロール表示されるスクロール表示領域と、予め定められた設定項目に対する予め定められた設定値に対応付けられたショートカットボタンと、を含み、
前記スクロール表示領域には、前記予め定められたスクロール画像として、前記複数の設定項目がスクロール方向に沿って列挙されてなる設定項目リストであって、前記複数の設定項目のそれぞれについて現在設定されている設定値を示す情報が示されている設定項目リストが表示され、
前記表示制御部は、前記ショートカットボタンに対する選択操作を前記操作受付部が受け付けた場合、（i）前記選択されたショートカットボタンに対応付けられた設定項目および設定値を示すポップアップ画像を前記設定画面中に前記表示部に表示させ、（ii）その後、前記スクロール表示領域に表示された前記設定項目リストを、前記選択されたショートカットボタンに対応付けられた設定項目が前記設定画面中に表示されるまで前記表示部にスクロール表示させ、（iii）前記ポップアップ画像を、前記設定項目リスト中の前記選択されたショートカットボタンに対応付けられた設定項目が示された位置に移動させて、前記設定項目リスト中の現在設定されている設定値を示す情報として、前記ショートカットボタンに対応付けられた設定値を前記表示部に表示させ、
前記設定値受付部は、前記ショートカットボタンに対する選択操作を前記操作受付部が受け付けた場合、前記選択されたショートカットボタンに対応付けられた設定値の変更を受け付ける、情報処理装置。
【請求項２】
前記表示制御部は、前記（i）の処理を実行してから予め定められた時間が経過後に前記（ii）の処理を実行し、前記（ii）の処理を実行する前に前記設定画面中に表示された前記ポップアップ画像に対する選択操作を前記操作受付部が受け付けた場合、前記ポップアップ画像に示された設定項目に対する設定値を変更するための画面を前記表示部に表示させ、
前記設定値受付部は、前記ポップアップ画像に示された設定項目に対する設定値を変更するための画面に対するユーザー操作に応じて前記設定値の変更を受け付ける、請求項１に記載の情報処理装置。
【請求項３】
前記表示制御部は、前記（iii）の処理において、前記設定項目リスト中の現在設定されている設定値を示す情報として、前記ショートカットボタンに対応付けられた設定値を前記表示部に表示させる場合、前記ショートカットボタンに対応付けられた設定値を前記設定項目リスト中の他の設定値とは表示態様を異ならせて前記表示部に表示させる、請求項１または請求項２に記載の情報処理装置。
【請求項４】
記録紙に画像を形成する画像形成部と、
請求項１乃至請求項３の何れか１項に記載の情報処理装置と、を備え、
前記表示部は、前記画像形成部による画像形成に関する複数の設定項目に対する設定値の変更を受け付けるための設定画面を表示し、
前記設定値受付部は、前記操作受付部により受け付けられたユーザー操作に応じて、前記画像形成部による画像形成に関する複数の設定項目に対する設定値の変更を受け付け、
前記画像形成部は、前記設定値受付部が受け付けた設定項目の設定値で画像形成動作を実行する、画像形成装置。
【請求項５】
設定可能な複数の設定項目に対する設定値の変更を受け付けるための設定画面を表示する表示部による表示動作を制御する表示制御部と、
ユーザー操作を受け付ける操作受付部と、
前記操作受付部により受け付けられたユーザー操作に応じて、前記複数の設定項目に対する設定値の変更を受け付ける設定値受付部として、コンピューターを機能させ、
前記設定画面は、前記操作受付部が受け付けたスクロール操作に応じて、予め定められたスクロール画像がスクロール表示されるスクロール表示領域と、予め定められた設定項目に対する予め定められた設定値に対応付けられたショートカットボタンと、を含み、
前記スクロール表示領域には、前記予め定められたスクロール画像として、前記複数の設定項目がスクロール方向に沿って列挙されてなる設定項目リストであって、前記複数の設定項目のそれぞれについて現在設定されている設定値を示す情報が示されている設定項目リストが表示され、
更に、前記表示制御部が、前記ショートカットボタンに対する選択操作を前記操作受付部が受け付けた場合、（i）前記選択されたショートカットボタンに対応付けられた設定項目および設定値を示すポップアップ画像を前記設定画面中に前記表示部に表示させ、（ii）その後、前記スクロール表示領域に表示された前記設定項目リストを、前記選択されたショートカットボタンに対応付けられた設定項目が前記設定画面中に表示されるまで前記表示部にスクロール表示させ、（iii）前記ポップアップ画像を、前記設定項目リスト中の前記選択されたショートカットボタンに対応付けられた設定項目が示された位置に移動させて、前記設定項目リスト中の現在設定されている設定値を示す情報として、前記ショートカットボタンに対応付けられた設定値を前記表示部に表示させ、
前記設定値受付部が、前記ショートカットボタンに対する選択操作を前記操作受付部が受け付けた場合、前記選択されたショートカットボタンに対応付けられた設定値の変更を受け付けるようにコンピューターを機能させる、情報処理プログラム。
【発明の詳細な説明】
【技術分野】
【０００１】
本発明は、情報処理装置、画像形成装置、および情報処理プログラムに関し、特に、複数の設定項目に対する設定項目について設定値を変更する技術に関する。
【背景技術】
【０００２】
近年、機器の高機能化に伴い、多数の設定項目を有する画像形成装置、スマートフォンなどの携帯端末、およびパーソナルコンピューターなどが登場している。これらの機器は液晶ディスプレイ（ＬＣＤ：Liquid Crystal Display）や有機ＥＬ（ＯＬＥＤ：Organic Light-Emitting Diode）などの表示部を有し、当該表示部に、複数の設定項目を列挙した設定項目リストを含む設定画面を表示させている（例えば、下記の特許文献１を参照）。
【先行技術文献】
【特許文献】
【０００３】
【特許文献１】特開２００８−１８５４１号公報
【発明の概要】
【発明が解決しようとする課題】
【０００４】
ここで、表示部のサイズには限りがあるため、上記の複数の設定項目を列挙した設定項目リストを一度に表示できない場合がある。この場合、設定項目リストの一部の範囲を表示し、ユーザーからのスクロール操作を受け付けたときに当該設定項目リストをスクロール表示させることで、ユーザーに設定項目リストの全てを閲覧させることができる。
【０００５】
また、上記の設定画面には、予め定められた設定項目に対する予め定められた設定値に対応付けられたショートカットボタンが設けられている場合がある。上記のショートカットボタンが押下された場合、一般的な装置では、設定項目の設定値をショートカットボタンに対応付けられた設定値に変更する処理を行う。
【０００６】
しかしながら、上記の処理では、ショートカットボタンの押下という操作を行うことで、設定項目リストのどの位置に位置している設定項目の設定値が変更されたのかをユーザーが知ることができない。このため、その後ユーザーがショートカットボタンを用いずに設定項目リストをスクロール表示させて設定項目の設定値を変更する場合には、設定項目リストを上下にスクロールさせながら設定項目リスト中のどの位置に変更したい設定項目が位置しているのかを特定する作業が必要となり、設定値の変更に手間がかかってしまう。
【０００７】
本発明は、上記の事情に鑑みなされたものであり、ショートカットボタンの押下により設定項目の設定値の変更を行う場合であっても、当該ショートカットボタンの押下により変更された設定項目が設定項目リストのどの位置に位置しているかをユーザーに知らせることを可能にすることを目的とする。
【課題を解決するための手段】
【０００８】
本発明の一局面にかかる情報処理装置は、本情報処理装置において設定可能な複数の設定項目に対する設定値の変更を受け付けるための設定画面を表示する表示部と、前記表示部による表示動作を制御する表示制御部と、ユーザー操作を受け付ける操作受付部と、前記操作受付部により受け付けられたユーザー操作に応じて、前記複数の設定項目に対する設定値の変更を受け付ける設定値受付部と、を備え、前記設定画面は、前記操作受付部が受け付けたスクロール操作に応じて、予め定められたスクロール画像がスクロール表示されるスクロール表示領域と、予め定められた設定項目に対する予め定められた設定値に対応付けられたショートカットボタンと、を含み、前記スクロール表示領域には、前記予め定められたスクロール画像として、前記複数の設定項目がスクロール方向に沿って列挙されてなる設定項目リストであって、前記複数の設定項目のそれぞれについて現在設定されている設定値を示す情報が示されている設定項目リストが表示され、前記表示制御部は、前記ショートカットボタンに対する選択操作を前記操作受付部が受け付けた場合、（i）前記選択されたショートカットボタンに対応付けられた設定項目および設定値を示すポップアップ画像を前記設定画面中に前記表示部に表示させ、（ii）その後、前記スクロール表示領域に表示された前記設定項目リストを、前記選択されたショートカットボタンに対応付けられた設定項目が前記設定画面中に表示されるまで前記表示部にスクロール表示させ、（iii）前記ポップアップ画像を、前記設定項目リスト中の前記選択されたショートカットボタンに対応付けられた設定項目が示された位置に移動させて、前記設定項目リスト中の現在設定されている設定値を示す情報として、前記ショートカットボタンに対応付けられた設定値を前記表示部に表示させ、前記設定値受付部は、前記ショートカットボタンに対する選択操作を前記操作受付部が受け付けた場合、前記選択されたショートカットボタンに対応付けられた設定値の変更を受け付ける、情報処理装置である。
【０００９】
また、本発明の別の一局面にかかる画像形成装置は、記録紙に画像を形成する画像形成部と、上記の情報処理装置と、を備え、前記表示部は、前記画像形成部による画像形成に関する複数の設定項目に対する設定値の変更を受け付けるための設定画面を表示し、前記設定値受付部は、前記操作受付部により受け付けられたユーザー操作に応じて、前記画像形成部による画像形成に関する複数の設定項目に対する設定値の変更を受け付け、前記画像形成部は、前記設定値受付部が受け付けた設定項目の設定値で画像形成動作を実行する、画像形成装置である。
【００１０】
また、本発明の別の一局面にかかる情報処理プログラムは、設定可能な複数の設定項目に対する設定値の変更を受け付けるための設定画面を表示する表示部による表示動作を制御する表示制御部と、ユーザー操作を受け付ける操作受付部と、前記操作受付部により受け付けられたユーザー操作に応じて、前記複数の設定項目に対する設定値の変更を受け付ける設定値受付部として、コンピューターを機能させ、前記設定画面は、前記操作受付部が受け付けたスクロール操作に応じて、予め定められたスクロール画像がスクロール表示されるスクロール表示領域と、予め定められた設定項目に対する予め定められた設定値に対応付けられたショートカットボタンと、を含み、前記スクロール表示領域には、前記予め定められたスクロール画像として、前記複数の設定項目がスクロール方向に沿って列挙されてなる設定項目リストであって、前記複数の設定項目のそれぞれについて現在設定されている設定値を示す情報が示されている設定項目リストが表示され、更に、前記表示制御部が、前記ショートカットボタンに対する選択操作を前記操作受付部が受け付けた場合、（i）前記選択されたショートカットボタンに対応付けられた設定項目および設定値を示すポップアップ画像を前記設定画面中に前記表示部に表示させ、（ii）その後、前記スクロール表示領域に表示された前記設定項目リストを、前記選択されたショートカットボタンに対応付けられた設定項目が前記設定画面中に表示されるまで前記表示部にスクロール表示させ、（iii）前記ポップアップ画像を、前記設定項目リスト中の前記選択されたショートカットボタンに対応付けられた設定項目が示された位置に移動させて、前記設定項目リスト中の現在設定されている設定値を示す情報として、前記ショートカットボタンに対応付けられた設定値を前記表示部に表示させ、前記設定値受付部が、前記ショートカットボタンに対する選択操作を前記操作受付部が受け付けた場合、前記選択されたショートカットボタンに対応付けられた設定値の変更を受け付けるようにコンピューターを機能させる、情報処理プログラムである。
【発明の効果】
【００１１】
本発明によれば、ショートカットボタンの押下により設定項目の設定値の変更を行う場合であっても、当該ショートカットボタンの押下により変更された設定項目が設定項目リストのどの位置に位置しているかをユーザーに知らせることができる。
【図面の簡単な説明】
【００１２】
【図１】本発明の一実施形態にかかる情報処理装置を備えた画像形成装置の外観を示す斜視図である。
【図２】本発明の一実施形態にかかる情報処理装置を備えた画像形成装置の主要内部構成を示す機能ブロック図である。
【図３】本発明の一実施形態にかかる画像形成装置の表示部に表示される画面の一例を示す図である。
【図４】本発明の一実施形態にかかる画像形成装置の表示部に表示される設定画面のスクロール表示領域に表示される設定項目リストの一例を示す図である。
【図５】本発明の一実施形態にかかる画像形成装置の表示部に表示される設定画面のスクロール表示領域に表示される設定項目リストの一例を示す図である。
【図６】本発明の一実施形態にかかる画像形成装置の表示部に表示される画面の一例を示す図である。
【図７】本発明の一実施形態にかかる情報処理装置および画像形成装置１の動作の流れを示すフローチャートである。
【図８】（Ａ）および（Ｂ）は、本発明の一実施形態にかかる画像形成装置の表示部に表示される画面の一例を示す図である。
【図９】（Ａ）および（Ｂ）は、本発明の一実施形態にかかる画像形成装置の表示部に表示される画面の一例を示す図である。
【図１０】本発明の変形例にかかる情報処理装置および画像形成装置１の動作の流れを示すフローチャートである。
【発明を実施するための形態】
【００１３】
以下、本発明の一実施形態にかかる情報処理装置、画像形成装置、および情報処理プログラムについて図面を参照して説明する。
【００１４】
図１は、本発明の一実施形態にかかる情報処理装置を備えた画像形成装置の外観を示す斜視図である。図２は、本発明の一実施形態にかかる情報処理装置を備えた画像形成装置の主要内部構成を示す機能ブロック図である。
【００１５】
画像形成装置１は、例えば、コピー機能、プリンター機能、スキャナー機能、およびファクシミリ機能のような複数の機能を兼ね備えた複合機である。図１に示すように、画像形成装置１は、装置本体２の内部に、不図示のコンタクトガラスに載置された原稿などを光学的に読み取って画像データを生成する原稿読取部１０や、電子写真方式やインクジェット方式などにより記録紙上に画像を形成する画像形成部３０などを備えている。
【００１６】
また、装置本体２の前方には、表示部７０および操作キー部７１を含む操作パネル７２が配置されている。
【００１７】
表示部７０は、液晶ディスプレイや有機ＥＬディスプレイで構成されている。当該表示部７０には、原稿読み取り指示や画像形成指示を入力するための操作画面や、各種の設定を行うための設定画面などが表示される。
【００１８】
操作キー部７１は、例えば、上記の操作画面や設定画面などを呼び出すスタートキー、操作画面や設定画面などを構成するＧＵＩのフォーカスを移動させる矢印キー、操作画面や設定画面などを構成するＧＵＩに対して確定操作を行う決定キー、数値キーなどであり、表示部７０に表示される操作画面や設定画面などに対するユーザー操作の入力を受け付ける。
【００１９】
また、表示部７０の前面に、所謂抵抗膜方式や静電容量方式などのタッチパネルを配置してもよい。この場合、当該タッチパネルに対するタッチ操作により、表示部７０に表示される操作画面や設定画面などに対するユーザー操作の入力が受け付けられる。
【００２０】
画像形成装置１は、上記の原稿読取部１０および画像形成部３０に加えて、ＨＤＤ５０、通信インターフェイス６０、および制御ユニット１００などを備えている。
【００２１】
ＨＤＤ５０は、大容量の記憶装置であって、原稿読取部１０によって読み取られた画像データや、制御ユニット１００の後述する設定値受付部１０４が受け付けた設定値を記憶する。
【００２２】
通信インターフェイス６０は、ＬＡＮチップなどの通信モジュールを備え、ネットワーク接続された他の画像形成装置やパーソナルコンピューターなどとの間でデータ通信を行う。
【００２３】
制御ユニット１００は、プロセッサー、ＲＡＭ（Random Access Memory）、ＲＯＭ（Read Only Memory）、および専用のハードウェア回路を含んで構成される。プロセッサーは、例えば、ＣＰＵ（Central Processing Unit）、ＦＰＧＡ（Field Programmable Gate Array）、ＡＳＩＣ（Application Specific Integrated Circuit）などである。制御ユニット１００は、ＨＤＤ５０に記憶されている情報処理プログラムなどのプログラムに従った上記プロセッサーによる動作により、制御部１０１、操作受付部１０２、表示制御部１０３、および設定値受付部１０４として機能する。但し、上記の各構成は、制御ユニット１００によるプログラムに従った動作によらず、それぞれハードウェア回路により構成してもよい。
【００２４】
制御部１０１は、画像形成装置１全体の動作制御を司るものである。例えば、制御部１０１は、ＨＤＤ５０に記憶された各設定値に基づき、画像形成部３０などを制御して、ユーザー所望の画像を記録紙上に形成させる。
【００２５】
操作受付部１０２は、操作キー部７１や表示部７０の前面に配置されたタッチパネルから出力される信号に基づき、ユーザーにより入力されたユーザー操作を特定する。そして、操作受付部１０２は、特定したユーザー操作を受け付け、当該ユーザー操作に対応する制御信号を表示制御部１０３や設定値受付部１０４などに出力する。
【００２６】
表示制御部１０３は、操作受付部１０２が受け付けたユーザー操作に応じて、表示部７０による表示動作を制御する機能を有する。
【００２７】
設定値受付部１０４は、操作受付部１０２により受け付けられたユーザー操作に応じて、画像形成装置１において設定可能な複数の設定項目に対する設定値の変更を受け付ける機能を有する。
【００２８】
ここで図３は、表示制御部１０３による制御のもとで表示部７０に表示される画面の一例を示す図である。本図に示す例では、原稿を読み取って画像データを生成するとともに当該生成した画像データに基づく画像を記録紙に形成する処理、すなわちコピー処理を実行する際の設定を行うための設定画面Ｄ１が示されている。
【００２９】
設定画面Ｄ１には、操作受付部１０２が受け付けたスクロール操作に応じて、予め定められたスクロール画像が表示制御部１０３による制御のもとでスクロール表示されるスクロール表示領域ｄ１０が配置されている。当該スクロール表示領域ｄ１０には、予め定められたスクロール画像として、コピー処理を実行する際に設定可能な複数の設定項目がスクロール方向（紙面の上下方向）に沿って列挙されてなる設定項目リストが表示されている。
【００３０】
図４は、スクロール表示領域ｄ１０に表示される設定項目リストの一例を示す図である。本図に示す設定項目リストＤ２は、コピー処理を実行する際に設定可能な設定項目を示した画像ｄ１１〜ｄ２３を含んでいる。また、設定項目リストＤ２には、複数の設定項目のそれぞれについて現在設定されている設定値（デフォルトの設定値）を示す情報が示されている。例えば画像ｄ１８は、記録紙を給紙する給紙カセットを設定する設定項目「Paper Selection」のデフォルトの設定値として「Cassette 1」が設定されていることが示されている。また例えば画像ｄ２２は、記録紙に画像を形成する際のカラーを設定する設定項目「Color」のデフォルトの設定値として「Auto Color」が設定されていることが示されている。
【００３１】
ここで、表示部７０のサイズには限りがあるため、設定項目リストＤ２の全範囲をスクロール表示領域ｄ１０に一度に表示できない。このため本図に示すように、表示制御部１０３は、設定項目リストＤ２の一部の範囲（図中の表示範囲）を表示画面としてスクロール表示領域ｄ１０に表示させ、操作受付部１０２がユーザーからのスクロール操作を受け付けたときにスクロール表示領域ｄ１０に表示される表示画面をスクロール表示させる。例えば、操作受付部１０２がユーザーから下方向へのスクロール操作を受け付けた場合、設定項目リストＤ２の表示範囲は図５に示すように変わる。
【００３２】
設定値受付部１０４は、上記のスクロール表示領域ｄ１０に示された設定項目の中から操作受付部１０２が１つの設定項目の選択操作を受け付けた場合、当該選択された１つの設定項目の設定値を変更する。例えば、操作受付部１０２が設定項目「Paper Selection」を示す画像ｄ１８に対する選択操作（押下操作）を受け付けた場合、設定値受付部１０４は、設定項目「Paper Selection」の設定値を変更する。具体的には、設定値受付部１０４は、操作受付部１０２が画像ｄ１８に対する選択操作を受け付ける毎に設定値を「Cassette 1」→「Cassette 2」→「Cassette 3」→「Cassette 1」というように一つずつ変更する。設定値の変更が行われた場合、設定値受付部１０４は、変更後の設定値をＨＤＤ５０に記憶させる。
【００３３】
以上のように、操作キー部７１や表示部７０の前面に配置されたタッチパネルを用いて上下方向へのスクロール操作をユーザーが入力することで、コピー処理を実行する際に設定可能な複数の設定項目のうち所望の設定項目をスクロール表示領域ｄ１０に表示させて、当該所望の設定項目の設定値を変更することができる。
【００３４】
図３に戻って、設定画面Ｄ１には、上記のスクロール表示領域ｄ１０に加えて、スクロール操作を行うためのスクロールバーｄ３０や、記録紙に形成する画像の内容を示すプレビュー画像を表示するためのプレビュー画像領域ｄ４０などが配置されている。また、設定項目リストＤ２の表示範囲を各ボタンに対応付けられた予め定められた範囲に変更するためのボタンｄ１〜ｄ６も設定画面Ｄ１に配置されている。例えば、操作受付部１０２が設定画面Ｄ１に配置されたボタンｄ４に対する選択操作を受け付けた場合、表示制御部１０３は、設定項目リストＤ２の表示範囲を「Color」および「Image Quality」の設定項目を含む範囲に変更する。
【００３５】
更には、設定画面Ｄ１には、ショートカットボタンｄ３１、ｄ３２が配置されている。ショートカットボタンｄ３１、ｄ３２は、設定項目リストＤ２に列挙された複数の設定項目のうちの予め定められた設定項目に対する予め定められた設定値に対応付けられている。設定値受付部１０４は、ショートカットボタンｄ３１、ｄ３２に対する選択操作を操作受付部１０２が受け付けた場合、当該選択されたショートカットボタンに対応付けられた設定項目の設定値を上記の予め定められた設定値に変更する処理を行う。
【００３６】
このショートカットボタンｄ３１、ｄ３２による設定値の変更の際、一般の画像形成装置では、設定画面Ｄ１が図３に示す状態から図６に示す状態に変化することで、ユーザーに設定値が変更されたことを報知する。これらの図に示す例では、「Combine」の設定項目の設定値が「off」から「2 in 1」に変更されている。そして、図６に示す状態では「2 in 1」の設定値が図３に示す変更前の「off」の設定値とは表示態様を異ならせて表示部７０に表示させる。ここで「表示態様を異ならせて」とは、例えば、文字の太さや文字色を変更して表示することを意味する。
【００３７】
しかしながら、上記の一般の画像形成装置の表示方法では、ショートカットボタンｄ３１、ｄ３２の押下という操作を行うことで、設定項目リストＤ２のどの位置に位置している設定項目の設定値が変更されたのかをユーザーが知ることができない。このため、その後ユーザーがショートカットボタンを用いずに設定項目リストＤ２をスクロール表示させて設定項目の設定値を変更する場合には、設定項目リストを上下にスクロールさせながら設定項目リスト中のどの位置に変更したい設定項目が位置しているのかを特定する作業が必要となり、設定値の変更に手間がかかってしまう。
【００３８】
本発明は、設定画面Ｄ１の表示方法を工夫することで上記の問題を解消するものである。図７は、本発明の一実施形態にかかる情報処理装置および画像形成装置１の動作の流れを示すフローチャートである。なお本図では、コピー処理を実行する際の設定項目の設定値を変更する際の動作の流れを示す。
【００３９】
操作キー部７１や表示部７０の前面に配置されたタッチパネルを用いてコピー指示が入力され、当該コピー指示を操作受付部１０２が受け付けた場合（ステップＳ１０においてＹＥＳ）、表示制御部１０３は、表示部７０に図３に示す設定画面Ｄ１を表示させる（ステップＳ１１）。
【００４０】
そして、操作受付部１０２が設定画面Ｄ１においてショートカットボタンｄ３１又はｄ３２の選択操作を受け付けると（ステップＳ１２においてＹＥＳ）、表示制御部１０３は、図８（Ａ）に示すように、当該選択されたショートカットボタンｄ３１又はｄ３２に対応付けられた設定項目および設定値を示すポップアップ画像ｄ５０を設定画面Ｄ１中に表示部７０に表示させる（ステップＳ１３）。図８（Ａ）に示す例は、ショートカットボタンｄ３１が選択された場合を示しており、当該ショートカットボタンｄ３１に対応付けられた設定項目「Color」および設定値「Mono Color」がポップアップ画像ｄ５０に示されている。
【００４１】
図７に戻って、ステップＳ１３の処理後、ステップＳ１４の処理が行われる。すなわち、表示制御部１０３は、予め定められた時間が経過するまでポップアップ画像ｄ５０を設定画面Ｄ１中に表示させたままとする。
【００４２】
ステップＳ１３の処理後予め定められた時間が経過した場合（ステップＳ１４においてＹＥＳ）、表示制御部１０３は、スクロール表示領域ｄ１０に表示された設定項目リストＤ２を、選択されたショートカットボタンに対応付けられた設定項目が設定画面Ｄ１中に表示されるまで表示部７０にスクロール表示させる(ステップＳ１５)。
【００４３】
また、表示制御部１０３は、ポップアップ画像ｄ５０を、設定項目リストＤ２中の選択されたショートカットボタンに対応付けられた設定項目が示された位置に移動させて、現在設定されている設定値を示す情報として、ショートカットボタンに対応付けられた設定値を表示部７０に表示させる処理を行う（ステップＳ１６）。
【００４４】
上記のステップＳ１５およびステップＳ１６の処理を図８（Ｂ）、図９（Ａ）、および図９（Ｂ）を用いて具体的に説明する。
【００４５】
まず、図８（Ｂ）に示すように、表示制御部１０３は、スクロール表示領域ｄ１０に表示された設定項目リストＤ２を、選択されたショートカットボタンｄ３１に対応付けられた設定項目が示された画像ｄ２２（図８（Ｂ）中には現われていない）が位置する方向（紙面の下方向）へスクロール表示させる。また、この設定項目リストＤ２を紙面の下方向へスクロール表示させる処理とともに、表示制御部１０３は、ポップアップ画像ｄ５０をショートカットボタンｄ３１に対応付けられた設定項目が示された画像ｄ２２が位置する方向（紙面の下方向）へ移動させる処理を行う。
【００４６】
上記の処理を行うことにより、設定画面Ｄ１は、図８（Ｂ）に示す状態から図９（Ａ）に示す状態となる。表示制御部１０３は、上記の設定項目リストＤ２を紙面の下方向へスクロール表示させる処理を、ショートカットボタンｄ３１に対応付けられた設定項目が示された画像ｄ２２が設定画面Ｄ１中に表示されるまで行う。そして、表示制御部１０３は、ポップアップ画像ｄ５０を、設定項目リストＤ２中の上記の画像ｄ２２が示された位置に移動させる（重ね合わせる）。また、表示制御部１０３は、現在設定されている設定値を示す情報として、ショートカットボタンｄ３１に対応付けられた設定値「Mono Color」を画像ｄ２２内に表示させる。上記の処理により、設定画面Ｄ１は、図９（Ａ）に示す状態から図９（Ｂ）に示す状態となる。
【００４７】
なお、表示制御部１０３は、ステップＳ１６の処理において、現在設定されている設定値を示す情報としてショートカットボタンに対応付けられた設定値を表示部７０に表示させる場合、ショートカットボタンに対応付けられた設定値を設定項目リストＤ２中の他の設定値とは表示態様を異ならせて表示部７０に表示させる。具体的には、表示制御部１０３は、文字の太さや文字色を異ならせることにより他の設定値と表示態様を異ならせる。
【００４８】
図７に戻って、設定値受付部１０４は、ステップＳ１２の処理で選択されたショートカットボタンに対応付けられた設定値の変更を受け付ける処理を行う（ステップＳ１７）。そして、設定値受付部１０４は、変更後の設定値をＨＤＤ５０に記憶させる。
【００４９】
以上のように、上記の情報処理装置、画像形成装置、および情報処理プログラムによれば、ショートカットボタンの押下により設定項目の設定値の変更を行う場合であっても、当該ショートカットボタンの押下により変更された設定項目が設定項目リストＤ２のどの位置に位置しているかをユーザーに知らせることができる。
【００５０】
なお、本発明は、上記の実施の形態の構成に限られず種々の変形が可能である。
【００５１】
図１０は、変形例にかかる情報処理装置および画像形成装置の動作の流れを示すフローチャートである。なお図７に示した処理と同内容の処理については同符号を付して説明を略する。
【００５２】
ステップＳ１３の処理後予め定められた時間が経過する前に設定画面Ｄ１に表示されたポップアップ画像ｄ５０に対する選択操作を操作受付部１０２が受け付けた場合（ステップＳ２０においてＹＥＳ）、表示制御部１０３は、ポップアップ画像ｄ５０に示された設定項目に対する設定値を変更するための画面を表示部７０に表示させる（ステップＳ２１）。例えば図８（Ａ）に示す状態においてポップアップ画像ｄ５０に対する選択操作が行われた場合、表示制御部１０３は、設定項目「Color」に対する設定値を変更するための画面を表示部７０に表示させる。そして、設定値受付部１０４は、ステップＳ２１の処理で表示された画面に対するユーザー操作に応じて設定値の変更を受け付ける（ステップＳ２２）。
【００５３】
上記の処理を行うことにより、ユーザーは、ショートカットボタンを選択する操作を行った後に、ショートカットボタンに対応付けられた設定値以外の設定値に設定値を変更することが可能となる。
【００５４】
また、上記実施の形態で説明した情報処理プログラムをコンピューター読み取り可能な非一時的な記録媒体、例えば、ハードディスク、ＣＤ−ＲＯＭ、ＤＶＤ−ＲＯＭ、半導体メモリーなどに記録したものとしてもよい。
【００５５】
また上記の実施の形態では、本発明の一実施形態にかかる情報処理装置を備えた装置の一例として画像形成装置を示したが本発明は必ずしもこの場合に限定されない。本発明の一実施形態にかかる情報処理装置は、画像形成装置の他に、例えば、タブレット端末やスマートフォンなどの携帯端末、パーソナルコンピューター、テレビなどが備えることも可能である。
【符号の説明】
【００５６】
１     画像形成装置
２     装置本体
１０   原稿読取部
３０   画像形成部
７０   表示部
１００ 制御ユニット
１０１ 制御部
１０２ 操作受付部
１０３ 表示制御部
１０４ 設定値受付部
【図１】
2018186403.tif 000003
【図２】
2018186403.tif 000004
【図３】
2018186403.tif 000005
【図４】
2018186403.tif 000006
【図５】
2018186403.tif 000007
【図６】
2018186403.tif 000008
【図７】
2018186403.tif 000009
【図８】
2018186403.tif 000010
【図９】
2018186403.tif 000011
【図１０】
2018186403.tif 000012